(57)【要約】【課題】本発明の課題は、フェライトコアの取付作業を効率良く行うことができるフェライトコアホルダおよびそのようなフェライトコアホルダを備える電磁誘導加熱調理器を提供することである。【解決手段】本発明に係るフェライトコアホルダ１２２には、第１フェライトコアを収容可能な第１収容部１２２Ａと、第１収容部１２２Ａに対して屈曲して延び、第２フェライトコアを収容可能な第２収容部１２２Ｂと、が備えられ、第１収容部１２２Ａには、屈曲箇所側に第１フェライトコアを挿入可能な第１挿入口ＯＩ１が設けられると共に、屈曲箇所とは反対側に第１フェライトコアの脱落を防止する抜け止め部１２２ｅが設けられる。【選択図】図６
2020188837.tif 000002
【特許請求の範囲】
【請求項１】
第１フェライトコアを収容可能な第１収容部と、
前記第１収容部に対して屈曲して延び、第２フェライトコアを収容可能な第２収容部と、が備えられ、
前記第１収容部には、屈曲箇所側に前記第１フェライトコアを挿入可能な第１挿入口が設けられると共に、前記屈曲箇所とは反対側に前記第１フェライトコアの脱落を防止する抜け止め部が設けられる、フェライトコアホルダ。
【請求項２】
前記第２収容部には、前記屈曲箇所とは反対側の端部に前記第２フェライトコアを挿入可能な第２挿入口が設けられる、請求項１に記載のフェライトコアホルダ。
【請求項３】
前記屈曲箇所に、前記第１収容部から前記第２収容部に向かって延びる延設部がさらに備えられる、請求項１または２に記載のフェライトコアホルダ。
【請求項４】
前記屈曲箇所の近傍に設けられる整線部がさらに備えられる、請求項１から３のいずれか１項に記載のフェライトコアホルダ。
【請求項５】
請求項１から４のいずれか一項に記載のフェライトコアホルダが備えられる電磁誘導加熱調理器。
【請求項６】
前記フェライトコアホルダの下側に配設される底壁部がさらに備えられ、
前記フェライトコアホルダは、高さ成分を有する第１方向に沿って前記第１フェライトコアを収容し、
前記底壁部は、前記第１方向における前記第１フェライトコアの下側に配設される第１脱落防止部を有する、請求項５に記載の電磁誘導加熱調理器。
【請求項７】
電磁誘導源と、
前記電磁誘導源の内側に位置する壁部と、がさらに備えられ、
前記壁部は、前記第２フェライトコアの脱落を防止する第２脱落防止部を有する、請求項５または６に記載の電磁誘導加熱調理器。
【発明の詳細な説明】
【技術分野】
【０００１】
本発明は、フェライトコアを収容可能なフェライトコアホルダおよびそのようなフェライトコアホルダを備える電磁誘導加熱調理器にも関する。
【背景技術】
【０００２】
過去に「水平部分と傾斜部分が交わる中間部分に、底壁から略直角に立ち上がる閉鎖壁を形成するとともに、保持部材の両端を開放状態するフェライトコア保持部材」が提案されている（例えば、特開２００５−０２７９６５号公報等参照）。
【先行技術文献】
【特許文献】
【０００３】
【特許文献１】特開２００５−０２７９６５号公報
【発明の概要】
【発明が解決しようとする課題】
【０００４】
ところで、組立作業者が上述のフェライトコア保持部材に２本の略直方体状のフェライトコアを挿入しようとする際、組立作業者は、通常、１本目のフェライトコア保持部材の一方の開放端からフェライトコアを挿入した後、フェライトコア保持部材を回転させることによって他方の開放端を自身に向けてそこから２本目のフェライトコアを挿入する。このようにフェライトコア保持部材を一度回転させなければならない作業は、比較的煩わしいと思われる。
【０００５】
本発明の課題は、フェライトコアの取付作業を効率良く行うことができるフェライトコアホルダおよびそのようなフェライトコアホルダを備える電磁誘導加熱調理器を提供することである。
【課題を解決するための手段】
【０００６】
本発明に係るフェライトコアホルダには、
第１フェライトコアを収容可能な第１収容部と、
前記第１収容部に対して屈曲して延び、第２フェライトコアを収容可能な第２収容部と、が備えられ、
前記第１収容部には、屈曲箇所側に前記第１フェライトコアを挿入可能な第１挿入口が設けられると共に、前記屈曲箇所とは反対側に前記第１フェライトコアの脱落を防止する抜け止め部が設けられる。
【０００７】
本構成によれば、第１収容部の屈曲箇所側に第１フェライトコアを挿入可能な第１挿入口が設けられる。かかる場合、第２収容部の屈曲箇所側に第２フェライトコアを挿入可能な第２挿入口がある場合であっても、第２収容部の屈曲箇所側の反対側に第２挿入口がある場合であっても、フェライトコアホルダを回転させることなく（フェライトコアホルダの姿勢を変えることなく）フェライトコアを第１収容部および第２収容部に挿入できる。第２収容部の屈曲箇所側に第２挿入口がある場合、例えば、組立作業者は、フェライトコアホルダの屈曲側を下側に向ける（「へ」の字状にする）と共に、第１収容部を自身の左側に位置させ、第２収容部を自身の右側に位置させた状態とし、左手で第１収容部を把持した状態で右手により物体を第１挿入口に挿入してから、右手で第２収容部を把持した状態で左手により物体を第２挿入口に挿入できる。一方、第２収容部の屈曲箇所側の反対側に第２挿入口がある場合、例えば、組立作業者は、第２挿入口が手前になり、第１挿入口が奥になるように片手でフェライトコアホルダを把持し、もう一方の片手で物体を第１挿入口に挿入してからもう一つの物体を第２挿入口に挿入できる。このため、このフェライトコアホルダでは、フェライトコアの取付作業を効率良く行うことができる。
【０００８】
上記構成において、
前記第２収容部には、前記屈曲箇所とは反対側の端部に前記第２フェライトコアを挿入可能な第２挿入口が設けられると好適である。
【０００９】
本構成によれば、上述の通り、組立作業者は、例えば、第２挿入口が手前になり、第１挿入口が奥になるように片手でフェライトコアホルダを把持し、もう一方の片手で第１フェライトコアを第１挿入口に挿入してから第２フェライトコアを第２挿入口に挿入できる。このため、このフェライトコアホルダを利用すれば、組立作業者は、フェライトコアホルダを持ち替えることなくフェライトコアの挿入作業を行うことができる。
【００１０】
上記構成において、
前記屈曲箇所に、前記第１収容部から前記第２収容部に向かって延びる延設部がさらに備えられると好適である。
【００１１】
本構成によれば、フェライトコアホルダに挿入した２つのフェライトコアを接着剤や粘着剤で固定する際に、その接着剤や粘着剤を延設部で受けることができる。このため、このフェライトコアホルダを利用すれば、フェライトコアホルダに挿入した２つのフェライトコアを接着剤や粘着剤で固定する際、必要最小限に近い量の接着剤や粘着剤で効率的に２つのフェライトコアを固定できる。
【００１２】
上記構成において、
前記屈曲箇所の近傍に設けられる整線部がさらに備えられると好適である。
【００１３】
本構成によれば、フェライトコアホルダが電気製品に搭載される際、フェライトコアホルダを活用してリード線等を整線できる。
【００１４】
本発明に係る電磁誘導加熱調理器には、上記のようなフェライトコアホルダが備えられる。
【００１５】
本構成によれば、上述のフェライトコアホルダによる作用効果を享受できる電磁誘導加熱調理器を構成できる。
【００１６】
上記構成において、
前記フェライトコアホルダの下側に配設される底壁部がさらに備えられ、
前記フェライトコアホルダは、高さ成分を有する第１方向に沿って前記第１フェライトコアを収容し、
前記底壁部は、前記第１方向における前記第１フェライトコアの下側に配設される第１脱落防止部を有すると好適である。
【００１７】
本構成によれば、第１フェライトコアがフェライトコアホルダから第１方向の下方に向かって脱落することを防止できる。
【００１８】
上記構成において、
電磁誘導源と、
前記電磁誘導源の内側に位置する壁部と、がさらに備えられ、
前記壁部は、前記第２フェライトコアの脱落を防止する第２脱落防止部を有すると好適である。
【００１９】
本構成によれば、第２フェライトコアが第２収容部から脱落することを防止できる。
【図面の簡単な説明】
【００２０】
【図１】本発明の実施の形態に係る炊飯器の正面図である。
【図２】図１のＩ−Ｉ断面図である。
【図３】本発明の実施の形態に係る炊飯器から底壁を取り外した状態の底面図である。
【図４】本発明の実施の形態に係る炊飯器の本体から肩部材および底壁等の部材を取り外した状態の下方斜視図である。
【図５】本発明の実施の形態に係る炊飯器を構成するフェライトコアホルダの上方斜視図である。
【図６】本発明の実施の形態に係る炊飯器を構成するフェライトコアホルダの下方斜視図である。
【図７】本発明の実施の形態に係る炊飯器を構成するフェライトコアホルダの平面図である。
【図８】本発明の実施の形態に係る炊飯器を構成するフェライトコアホルダの底面図である。
【図９】図７のＩＩ−ＩＩ断面図である。
【図１０】本発明の実施の形態に係る炊飯器の本体を、フェライトコア配設方向に沿って切断した際の縦断面図である。なお、ここで、肩部材等のいくつかの部材の描画が省略されている。
【図１１】変形例（Ｆ）に係る大型機種用フェライトコアホルダの平面図である。
【図１２】変形例（Ｆ）に係る大型機種用フェライトコアホルダの底面図である。
【図１３】変形例（Ｆ）に係る大型機種用フェライトコアホルダを適用した大型機種の炊飯器から底壁を取り外した状態の底面図である。
【発明を実施するための形態】
【００２１】
＜本発明の実施の形態に係る炊飯器の構造＞
本発明の実施の形態に係る炊飯器１００は、誘導加熱式の圧力炊飯器であって、図１および図２に示されるように、主に、本体１１０、内鍋１３０、蓋体１４０およびヒンジ機構１５０から構成される。以下、これらの構成要素について詳述する。
【００２２】
１．本体
本体１１０は、図１〜図３に示されるように、主に、筐体１１１、取っ手１１２、断熱材（図示せず）、誘導加熱コイル１１３、フェライトコア組立体１２１、サーミスタ１１４、送風ファン１１５、ヒートシンク１１６、操作パネル１１７、電源回路基板１１８、制御回路基板１１９および自動巻取式電源コードユニット１２０から構成される。以下、これらの構成要素について詳述する。
【００２３】
（１）筐体
筐体１１１は、図１〜図３に示されるように、主に、側壁１１１ａ、底壁１１１ｂ、肩部材１１１ｃおよび保護枠１１１ｄから構成されており、断熱材（図示せず）、誘導加熱コイル１１３、フェライトコア組立体１２１、サーミスタ１１４、送風ファン１１５、ヒートシンク１１６、電源回路基板１１８、制御回路基板１１９および自動巻取式電源コードユニット１２０等を収容している。また、肩部材１１１ｃの前側の上側には操作パネル１１７が配設されている。以下、筐体１１１の各構成要素について詳述する。
【００２４】
側壁１１１ａは、図３に示されるように平面視において略長方形を呈する囲い壁であって、図１および図２に示されるように本体１１０の側面を覆っている。
【００２５】
底壁１１１ｂは、略方形の板状体であって、図１および図２に示されるように側壁１１１ａの下側に嵌め込まれており、側壁１１１ａの下側の開口を覆っている。そして、この底壁１１１ｂには、図２に示されるように、筐体１１１の外部の空気を内部に吸い込むための吸気口Ｏｓ、および、筐体１１１の内部の空気を外部に排出するための排気口（図示せず）が形成されている。なお、図２に示されるように、吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００２６】
また、図１０に示されるように、この底壁１１１ｂの内側（上側）には、フェライトコア組立体１２１から第１フェライトコアＦＣ１が完全に脱落することを防止するための上方突起部ＳＴ１が設けられている。
【００２７】
肩部材１１１ｃは、略方形状の枠体であって、図１および図２に示されるように側壁１１１ａの上側に嵌合されており、側壁１１１ａの上側の開口の縁部を覆っている。そして、図２に示されるように、この肩部材１１１ｃの下側には、保護枠１１１ｄが取り付けられている。なお、図２に示されるように、保護枠１１１ｄは保護枠フランジ部ＦＰ（後述）で肩部材１１１ｃに取り付けられている。
【００２８】
保護枠１１１ｄは、内鍋１３０の外周を保護すると共に肩部材１１１ｃの形状を保つ役目を担う部材であって、図２および図３に示されるように、主に、内鍋収容部ＰＡおよび保護枠フランジ部ＦＰから形成されている。内鍋収容部ＰＡは、内鍋１３０の外周を覆う椀状の部位である。保護枠フランジ部ＦＰは、上述の通り、肩部材１１１ｃの下側に配設されており、肩部材１１１ｃを外側に向かって張ることにより肩部材１１１ｃの形状を維持している。
【００２９】
（２）取っ手
取っ手１１２は、使用者が炊飯器１００を手で持ち運ぶために設けられている部材であって、図３に示されるように本体部１１２ａおよび軸部１１２ｂから構成されている。本体部１１２ａは、図３に示されるようにコの字状を呈している。軸部１１２ｂは、図３に示されるように本体部１１２ａの両端から内側に向かって延びている。なお、この炊飯器１００において、この軸部１１２ｂは、側壁１１１ａの長手方向中央の上部に形成される孔Ｐｘ（図４参照）を通って、保護枠１１１ｄに形成される嵌合部（図示せず）に嵌合されている。
【００３０】
（３）断熱材
断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００３１】
（４）誘導加熱コイル
誘導加熱コイル１１３は、内鍋１３０を誘導加熱する誘導加熱源であって、図２および図３に示されるように保護枠１１１ｄの内鍋収容部ＰＡの底壁部および側壁下端部の外側に配設されている。
【００３２】
（５）フェライトコア組立体
フェライトコア組立体１２１は、図３および図４に示されるように誘導加熱コイル１１３の周囲に４つ配設されている。このフェライトコア組立体１２１は、図１０に示されるように第１フェライトコアＦＣ１、第２フェライトコアＦＣ２およびフェライトコアホルダ１２２から構成されている。第１フェライトコアＦＣ１および第２フェライトコアＦＣ２は、同寸法の直方体状のフェライトコアであって、通電時に誘導加熱コイル１１３から発生する電磁波が外部に漏れ出るのを抑制する役目を担っている。そして、第１フェライトコアＦＣ１および第２フェライトコアＦＣ２は、図１０に示されるようにフェライトコアホルダ１２２に収容されると共に固定されている。
【００３３】
フェライトコアホルダ１２２は、図５〜図９に示されるように、略「く」または「へ」の字型の部品であって、主に、第１収容部１２２Ａ、第２収容部１２２Ｂ、抜け止め壁１２２ｅ、受け皿部１２２ｆ、ビス受け部１２２ｇ、整線部１２２ｈ、第１誘導加熱コイル支持部１２２ｉおよび第２誘導加熱コイル支持部１２２ｊから構成されている。
【００３４】
第１収容部１２２Ａは、第１フェライトコアＦＣ１を収容する部位であって、図６および図９に示されるように、屈曲箇所側に第１挿入口ＯＩ１を有すると共に屈曲箇所側の反対側に抜け止め壁１２２ｅを有する。第１挿入口ＯＩ１は第１フェライトコアＦＣ１を挿入するための入口であり、抜け止め壁１２２ｅは、挿入した第１フェライトコアＦＣ１が第１挿入口ＯＩ１の反対側から抜け出ないようにするための壁である。また、図６〜図９に示されるように、この第１収容部１２２Ａの左右両側壁１２２ａの内側には、第１スライドレール部ＳＤ１が配設されている。第１スライドレール部ＳＤ１は、樹脂バネの原理で対壁に第１フェライトコアＦＣ１を押し付ける役を担う部位であって、図９に示されるように第１フェライトコアＦＣ１の挿入方向に向かうに従って対壁側に傾斜している。また、第１スライドレール部ＳＤ１の対壁は、図９に示されるように第１フェライトコアＦＣ１の挿入方向の反対方向に向かうに従って、第１スライドレール部側に傾斜している。ただし、この傾斜角は僅かであって例えば０．５°〜１．５°程度である。
【００３５】
第２収容部１２２Ｂは、第２フェライトコアＦＣ２を収容するため部位であって、図５、図６および図９に示されるように、屈曲箇所側の反対側に第２挿入口ＯＩ２を有する。また、図５、図７、図８および図９に示されるように、この第２収容部１２２Ｂの左右両側壁１２２ｂの内側には、第２スライドレール部ＳＤ２が形成されている。第２スライドレール部ＳＤ２は、樹脂バネの原理で対壁に第２フェライトコアＦＣ２を押し付ける役を担う部位であって、図９に示されるように第２フェライトコアＦＣ２の挿入方向に向かうに従って対壁側に傾斜している。また、第２スライドレール部ＳＤ２の対壁は、図９に示されるように第２フェライトコアＦＣ２の挿入方向の反対方向に向かうに従って第２スライドレール部側に傾斜している。
【００３６】
受け皿部１２２ｆは、図５〜図９に示されるように、第１収容部１２２Ａの屈曲箇所側の壁の端部から第２収容部１２２Ｂに向かって延びる部位であって、第１フェライトコアＦＣ１と第２フェライトコアＦＣ２との間に絶縁性接着剤等を流し込む際に絶縁性接着剤等が下方に流れ落ちないようにする役目を担っている。
【００３７】
ビス受け部１２２ｇは、フェライトコア組立体１２１を保護枠１１１ｄにビス止めするために設けられた部位であって、図５〜図８に示されるように屈曲箇所近傍の両脇に配設されている。
【００３８】
整線部１２２ｈは、サーミスタ１１４や温度フューズ等から延びるリード線等を整線するための鉤形状の部位であって、図５〜図８に示されるようにビス受け部１２２ｇの後側に配設されている。
【００３９】
第１誘導加熱コイル支持部１２２ｉは、図５、図７および図９に示されるように第１収容部１２２Ａの屈曲側に配設される凹状の湾曲部位であって、保護枠１１１ｄの内鍋収容部ＰＡの側壁下端部に位置する誘導加熱コイル１１３を支持する役目を担っている。
【００４０】
第２誘導加熱コイル支持部１２２ｊは、図５、図７および図９に示されるように第２収容部１２２Ｂの上側に配設される突起部位であって、保護枠１１１ｄの内鍋収容部ＰＡの底壁部に位置する誘導加熱コイル１１３を支持する役目を担っている。
【００４１】
ところで、フェライトコア組立体１２１は以下の要領で組み立てられる。
先ず、フェライトコアホルダ１２２の下側が上方を向くようにフェライトコアホルダ１２２を把持する（図６参照）。次に、第１フェライトコアＦＣ１を第１挿入口ＯＩ１から第１収容部１２２Ａに挿入する。次いで、第２フェライトコアＦＣ２を第２挿入口ＯＩ２から第２収容部１２２Ｂに挿入する。続いて、第１フェライトコアＦＣ１と第２フェライトコアＦＣ２の間に絶縁性接着剤を注入する。なお、このとき、第１フェライトコアＦＣ１の下側に回り込む程度の量の絶縁性接着剤を使用することが好ましい。絶縁性接着剤が、接着の役目だけでなく、第１フェライトコアＦＣ１の下方への抜けを防止する壁の役目も担うようになるからである。絶縁性接着剤としてシリコーンゴムを採用することが好ましい。シリコーンゴムとしては、室温硬化型のシリコーンゴムを利用することが好ましい。
【００４２】
（６）サーミスタ
サーミスタ１１４は、温度センサであって、図２および図１０に示されるように、保護枠１１１ｄの内鍋収容部ＰＡの底壁部の中央部に形成された開口を通って、上方に向かって突出している。なお、このサーミスタ１１４は、コイルバネ等の付勢部材によって上方に付勢されている。すなわち、このサーミスタ１１４は、上下方向に沿って出没自在な状態とされている。また、このサーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。ところで、このサーミスタ１１４は、図２〜図４および図１０に示されるように略円盤状のカバー部材１２７によって支持されている。このカバー部材１２７は、保護枠１１１ｄの内鍋収容部ＰＡの底壁にネジ止めされている。また、このカバー部材１２７は、フェライトコアホルダ１２２の第２挿入口ＯＩ２と対向しており、第２フェライトコアＦＣ２が第２挿入口ＯＩ２から完全に脱落することを防止している。
【００４３】
（７）送風ファン
送風ファン１１５は、上述の通り、筐体１１１の底壁１１１ｂに形成される吸気口Ｏｓの直上に、回転軸が略上下方向に沿うようにして配設されている（図２参照）。すなわち、この送風ファン１１５が駆動されると、外部の空気が吸気口Ｏｓから吸い込まれて筐体内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００４４】
（８）ヒートシンク
ヒートシンク１１６は、外部の空気と効率よく熱交換を行わせる部品である。
【００４５】
（９）操作パネル
操作パネル１１７は、炊飯器１００の運転方法を決定して実行するためのものであって、図１および図２に示されるように、主に、パネル本体１１７ａおよび押圧ボタンＢＴ等から構成されており、上述の通り、肩部材１１１ｃの前側の上側に配設されている。
【００４６】
（１０）電源回路基板
電源回路基板１１８は、電源回路を構成する基板であって、いくつかの発熱部品を実装している。なお、この電源回路基板１１８は、図２に示されるように後述する制御回路基板１１９と同様に筐体１１１の前側空間ＳＰｆに収容されている。
【００４７】
（１１）制御回路基板
制御回路基板１１９は、制御回路を構成する基板であって、マイクロコンピュータ等の電子部品を実装している。この制御回路基板１１９は、図２に示されるように筐体１１１の前側空間ＳＰｆに収容されており、ヒートシンク１１６の上方、操作パネル１１７の下側に配設されている。
【００４８】
（１２）自動巻取式電源コードユニット
自動巻取式電源コードユニット１２０は、電源コードおよび自動巻取機構（図示せず）等から構成されており、図２〜図４に示されるように筐体１１１の後側の空間に収容されている。電源コードは、差込プラグＯＰおよび電気線（図示せず）から構成されている。差込プラグＯＰは、電気線の先端に配設されている。電気線は、伸展自在に自動巻取機構に巻回されている。
【００４９】
２．内鍋
内鍋１３０は、上方に開口する椀状の鍋であって、肩部材１１１ｃの開口に挿通されると共に、保護枠１１１ｄの内鍋収容部ＰＡに所定の隙間をもって収容される。なお、ここで、内鍋１３０は、種々のアルミニウム合金およびステンレス合金の多層体（クラッド材）であって、誘導加熱コイル１１３によって誘導加熱され得る。
【００５０】
３．蓋体
蓋体１４０は、図１および図２に示されるように、主に、外装体１４１、開閉ボタン１４２、圧力調整機構１４３、補強部材（図示せず）、内蓋１４５およびレバー部材１４６から構成されている。ヒンジ機構１５０を介して本体１１０に回動自在に取り付けられている。
【００５１】
外装体１４１は、図１および図２に示されるように、略直方体状の部材であって、開閉ボタン１４２、圧力調整機構１４３およびレバー部材１４６等を収容している。なお、ここで、開閉ボタン１４２は、図１および図２に示されるように、上面が外装体１４１の上側に露出するように外装体１４１に配設されている。また、ここで、この外装体１４１は、使用時の内圧に耐えることができるように補強部材によって補強されている。さらに、この外装体１４１の下面には、着脱自在に内蓋１４５が配設されている。
【００５２】
開閉ボタン１４２は、蓋体１４０を開閉するための角丸長方形状のボタンであって、レバー部材１４６の上側に配設されている。なお、この開閉ボタン１４２は、コイルバネ（図示せず）によって上方に向かって付勢されている。
【００５３】
レバー部材１４６は、当接板部（図示せず）と、当接板部の前側から下方に延びる左右一対の延設板部（図示せず）と、各延設板部の下部から後方に向かって延びる爪部（図示せず）とから形成される金属板部材であって、外装体１４１に軸支されていると共に、当接板部の後端でコイルバネ（図示せず）によって上方に向かって付勢されている。なお、ここで、使用者によって開閉ボタン１４２が押し下げられると、開閉ボタン１４２は、レバー部材１４６の当接板部のうち回動軸の後側の部位に当接する。
【００５４】
そして、使用者が蓋体１４０を閉状態としようとするとき、使用者は開閉ボタン１４２を操作する必要がなく、そのまま蓋体１４０を本体１１０に向かって倒し込めばよい。このとき、レバー部材１４６の爪部が、肩部材１１１ｃに形成される傾斜面（図示せず）に接触しながら下方に移動していく。この間、レバー部材１４６は、コイルバネの付勢力に逆らって前方に向かって回動する。そして、爪部が、肩部材１１１ｃに形成される爪受孔（図示せず）まで達すると、コイルバネの付勢力により爪部がその爪受孔に嵌り込む。このようにして蓋体１４０が閉状態となる。一方、蓋体１４０を開状態とするとき、使用者は、開閉ボタン１４２を押し下げる。すると、開閉ボタン１４２の下端部位がレバー部材１４６の当接部に当接し、レバー部材１４６がコイルバネの付勢力に逆らって前方に向かって回動する。このとき、爪受孔に嵌り込んでいた爪部が爪受孔から引き出される。そして、ヒンジ機構１５０の付勢力により蓋体１４０が上方に持ち上げられ、蓋体１４０が開状態となる。
【００５５】
圧力調整機構１４３は、蓋体１４０が閉状態とされ圧力炊飯運転されている状態において、内鍋１３０の内部の圧力を１．０３〜１．３気圧に調整する。また、この圧力調整機構１４３は、圧力炊飯運転中、蓋体１４０を開状態としないようにレバー部材１４６の回動を規制する。なお、本実施の形態において、この圧力調整機構としては、特に限定されず、従前のものが採用されてもかまわない。
【００５６】
補強部材は、蓋体１４０の強度を高めるためのものである。なお、本実施の形態において、補強部材は、特に限定されず、金属板そのものであってもよいし、金属板を複雑形状にしたものであってもよい。
【００５７】
内蓋１４５は、図２に示されるように内鍋１３０の上部を覆って密閉するための部材である。
【００５８】
４．ヒンジ機構
ヒンジ機構１５０は、上述の通り、蓋体１４０が本体１１０に対して回動自在となるように蓋体１４０を本体１１０に取り付けている。なお、上述の通り、このヒンジ機構１５０は、蓋体１４０を開方向に向かって付勢している。
【００５９】
＜本発明の実施の形態に係るフェライトコアホルダの特徴＞
（１）
本発明の実施の形態に係るフェライトコアホルダ１２２では、第１収容部１２２Ａの屈曲箇所側に第１挿入口ＯＩ１が形成されており、第２収容部１２２Ｂの屈曲箇所側の反対側に第２挿入口ＯＩ２が形成されている。このため、フェライトコア組立体１２１の組立作業者は、第２挿入口ＯＩ２が手前になり、第１挿入口ＯＩ１が奥になるように片手でフェライトコアホルダ１２２を把持し、もう一方の片手で第１フェライトコアＦＣ１を第１挿入口ＯＩ１に挿入してから第２フェライトコアＦＣ２を第２挿入口ＯＩ２に挿入することができる。このため、このフェライトコアホルダ１２２では、フェライトコアＦＣ１，ＦＣ２の挿入作業を比較的簡便に行うことができる。
【００６０】
（２）
本発明の実施の形態に係るフェライトコアホルダ１２２には、受け皿部１２２ｆが設けられている。このため、このフェライトコアホルダ１２２に第１フェライトコアＦＣ１と第２フェライトコアＦＣ２が差し込まれた状態で、第１フェライトコアＦＣ１と第２フェライトコアＦＣ２との間に絶縁性接着剤等を流し込む際に絶縁性接着剤等が下方に流れ落ちることを防止することができる。このため、このフェライトコアホルダ１２２を採用することによって、必要最小限に近い量の絶縁性接着剤等で効率的に第１フェライトコアＦＣ１と第２フェライトコアＦＣ２を固定することができる。
【００６１】
（３）
本発明の実施の形態に係るフェライトコアホルダ１２２には、整線部１２２ｈが設けられている。このため、このフェライトコアホルダ１２２では、サーミスタ１１４や温度フューズ等から延びるリード線等を整線することができる。
【００６２】
（４）
本発明の実施の形態に係る炊飯器１００では、底壁１１１ｂの内側（上側）に、フェライトコア組立体１２１から第１フェライトコアＦＣ１が脱落することを防止するための上方突起部ＳＴ１が設けられている（図１０参照）。このため、この炊飯器１００では、フェライトコア組立体１２１から第１フェライトコアＦＣ１が完全に脱落することを防止することができる。
【００６３】
（５）
本発明の実施の形態に係る炊飯器１００では、カバー部材１２７が、フェライトコアホルダ１２２の第２挿入口ＯＩ２と対向しており、第２フェライトコアＦＣ２が第２挿入口ＯＩ２から完全に脱落することを防止している。
【００６４】
＜変形例＞
（Ａ）
先の実施の形態に係る炊飯器１００では誘導加熱コイル１１３の周囲に４つのフェライトコア組立体１２１が配設されたが、フェライトコア組立体１２１の配設個数は特に限定されず、例えば、３つであってもよいし、５つ以上であってもよい。
【００６５】
（Ｂ）
先の実施の形態に係るフェライトコア組立体１２１では第１フェライトコアＦＣ１と第２フェライトコアＦＣ２の間に絶縁性接着剤が注入され、第１フェライトコアＦＣ１と第２フェライトコアＦＣ２が互いに接着されると共に、フェライトコアホルダ１２２にも接着されたが、絶縁性接着剤等を使用せず、第１収容部１２２Ａの第１挿入口ＯＩ１および第２収容部１２２Ｂの第２挿入口ＯＩ２に、フェライトコアＦＣ１，ＦＣ２の脱落防止部材を嵌め込む等してもよい。また、フェライトコアＦＣ１，ＦＣ２に突起や凹み等を設け、その突起や凹みを利用してフェライトコアＦＣ１，ＦＣ２をフェライトコアホルダ１２２に係合されてもよい（この場合、接着剤等は不要となる。）。
【００６６】
（Ｃ）
先の実施の形態に係る炊飯器１００では底壁１１１ｂの内側（上側）に配設される上方突起部ＳＴ１が第１フェライトコアＦＣ１に接触されていなかったが、上方突起部ＳＴ１は第１フェライトコアＦＣ１に接触するようにされてもよい。
【００６７】
（Ｄ）
先の実施の形態に係る炊飯器１００では底壁１１１ｂの内側（上側）に上方突起部ＳＴ１を配設してフェライトコア組立体１２１から第１フェライトコアＦＣ１が完全に脱落することを防止していたが、この上方突起部ＳＴ１を、コイルバネや、ゴム、エラストマー等の弾性部材に置き換えてもよい。また、かかる場合、弾性部材の上側に当接部等を取り付けてもよい。
【００６８】
（Ｅ）
先の実施の形態に係る炊飯器１００ではカバー部材１２７が、フェライトコアホルダ１２２の第２挿入口ＯＩ２と対向していたが、カバー部材１２７が第２フェライトコアＦＣ２と当接するように設計されてもよい。これにより、第２フェライトコアＦＣ２の位置ズレを防止することができる。
【００６９】
（Ｆ）
先の実施の形態に係る炊飯器１００では、フェライトコアホルダとして、図５〜図９に示されるフェライトコアホルダ１２２が用いられていたが、炊飯器１００の大型機種（例えば、先の実施の形態に係る炊飯器１００が５．５合炊き機種であった場合、大型機種が１升炊き機種であることを想定）に対して図１１および図１２に示されるフェライトコアホルダ２２２が用いられてもよい。なお、このフェライトコアホルダ２２２は、図１１および図１２に示されるように第２収容部２２２Ｂの構造のみが先の実施の形態に係るフェライトコアホルダ１２２と僅かに異なる。具体的には、このフェライトコアホルダ２２２は、図１１および図１２に示される構造を有する。ここで、第１収容部、抜け止め壁、受け皿部、ビス受け部、整線部、第１誘導加熱コイル支持部および第２誘導加熱コイル支持部は、先の実施の形態に係るフェライトコアホルダ１２２のものと同一であるため、同一の符号を付してその説明を省略する。フェライトコアホルダ２２２の第２収容部２２２Ｂでは、左右両側壁２２２ｂが、先の実施の形態に係るフェライトコアホルダ１２２の左右両側壁１２２ｂに対して延長されており、その間に開口Ｏａが形成されている（図１１および図１２参照）。
【００７０】
ここで、大型機種の保護枠１１１ｄに、図１３に示されるような下方突起部ＳＴ２を設け、保護枠１１１ｄにフェライトコアホルダ２２２を取り付ける際に、開口Ｏａに下方突起部ＳＴ２を嵌め込み、その下方突起部ＳＴ２でフェライトコア組立体２２１中の第２フェライトコアＦＣ２の位置ズレを規制する。これにより、小型、大型を問わず同寸法の第２フェライトコアＦＣ２を利用することができる。
【００７１】
（Ｇ）
先の実施の形態に係る炊飯器１００では第１スライドレール部ＳＤ１の対壁が挿入方向の反対方向に向かうに従って第１スライドレール部側に傾斜していたが、このような形状形成はなされなくてもかまわない。
【００７２】
（Ｈ）
先の実施の形態に係る炊飯器１００では第２スライドレール部ＳＤ２の対壁が挿入方向の反対方向に向かうに従って第２スライドレール部側に傾斜していたが、このような形状形成はなされなくてもかまわない。
【００７３】
（Ｉ）
先の実施の形態に係るフェライトコア組立体１２１では第２収容部１２２Ｂの屈曲箇所側の反対側に第２挿入口ＯＩ２が形成されていたが、第２収容部１２２Ｂの屈曲箇所側に第２挿入口を形成して、第２フェライトコアＦＣ２を屈曲箇所側から第２収容部１２２Ｂに挿入することができるようにしてもよい。かかる場合、例えば、フェライトコア組立体の組立作業者は、フェライトコアホルダ１２２の屈曲側を下側に向ける（「へ」の字状にする）と共に、第１収容部１２２Ａを自身の左側に位置させ、第２収容部１２２Ｂを自身の右側に位置させた状態とし、左手で第１収容部１２２Ａを把持した状態で右手により第１フェライトコアＦＣ１を第１挿入口ＯＩ１に挿入してから、右手で第２収容部１２２Ｂを把持した状態で左手により第２フェライトコアＦＣ２を第２挿入口に挿入することができる。このため、このフェライトコアホルダ１２２では、フェライトコアＦＣ１，ＦＣ２の挿入作業を比較的簡便に行うことができる。
【符号の説明】
【００７４】
１００  ：炊飯器（電磁誘導加熱調理器）
１１１ｂ：底壁（底壁部）
１１３  ：誘導加熱コイル（電磁誘導源）
１２２  ：フェライトコアホルダ
１２２Ａ：第１収容部
１２２Ｂ：第２収容部
１２２ｅ：抜け止め壁（抜け止め部）
１２２ｆ：受け皿部（延設部）
１２２ｇ：整線部
ＦＣ１  ：第１フェライトコア
ＦＣ２  ：第２フェライトコア
ＯＩ１  ：第１挿入口
ＯＩ２  ：第２挿入口
ＰＡ    ：内鍋収容部（壁部）
ＳＴ１  ：上方突起部（第１脱落防止部）
ＳＴ２  ：下方突起部（第２脱落防止部）
【図１】
2020188837.tif 000003
【図２】
2020188837.tif 000004
【図３】
2020188837.tif 000005
【図４】
2020188837.tif 000006
【図５】
2020188837.tif 000007
【図６】
2020188837.tif 000008
【図７】
2020188837.tif 000009
【図８】
2020188837.tif 000010
【図９】
2020188837.tif 000011
【図１０】
2020188837.tif 000012
【図１１】
2020188837.tif 000013
【図１２】
2020188837.tif 000014
【図１３】
2020188837.tif 000015